(57)【要約】【課題】バックライトで意匠パターンだけが浮かび上がるのではなく、同時にその背景もバックライトで発光させることが可能な光学表示装置を提供すること。【解決手段】意匠パターンＰ１及びＰ２が中抜きされたマスク領域が形成された透過特性の異なるマスク層の背面に背景光源と、２つの意匠パターン用光源とを配置したディスプレイ１０において、背景光源の照射状態で意匠パターン用光源から背景光源とは異なる波長領域の可視光を照射してマスク領域でカットすることで意匠パターンＰ１や意匠パターンＰ２を目視可能とする。これによって、意匠パターンだけでなくその背景も同時に発光させることとなるため、光学表示装置全体として目視されやすくなり、その存在感が高くなると同時に意匠パターンも背景の発光とは異なるコントラストで表示できることとなる。【選択図】図１
2016170190.tif 000002
【特許請求の範囲】
【請求項１】
文字、記号あるいは図形等からなる意匠パターンがネガあるいはポジのいずれかの関係となるように中抜きされたマスク領域が形成されたマスク層と、
前記マスク層の背面に配置され１又は複数種類の第１の波長領域の可視光を照射する背景光源と、
前記マスク層の背面に配置され前記第１の波長領域の可視光とは異なる１又は複数種類の第２の波長領域の可視光を照射する意匠パターン用光源とを備え  
前記マスク層は前記背景光源からの前記第１の波長領域の可視光を前記マスク層の全面からの目視において背景となるように前記マスク領域及び前記マスク領域以外の両方の領域において透過させ、前記背景光源の照射状態で前記意匠パターン用光源から照射される第２の波長領域の可視光を前記マスク領域でカットすることで前記意匠パターンを目視可能としたことを特徴とする光学表示装置。
【請求項２】
前記マスク層はそれぞれ異なる波長領域の前記第２の波長領域の可視光をカットする複数種類のマスク領域を有し、前記意匠パターン用光源は異なる波長領域の前記第２の波長領域の可視光を個別に照射して前記各マスク領域に応じた個別の意匠パターンを表示させることを特徴とする請求項１に記載の光学表示装置。
【請求項３】
前記第１の波長領域の可視光が複数種類ある場合にそれらの照射タイミングが同時となるように前記背景光源を制御して照射させることを特徴とする請求項１又は２に記載の光学表示装置。       
【請求項４】
前記第１の波長領域の可視光が複数種類ある場合にそれらの照射タイミングが同時とならないように前記背景光源を制御して照射させることを特徴とする請求項１又は２に記載の光学表示装置。    
【請求項５】
前記第１の波長領域の可視光が複数種類ある場合にそれらの照射タイミングを変更することで合成される背景光を変更するように前記背景光源を制御することを特徴とする請求項１〜４のいずれかに記載の光学表示装置。
【請求項６】
前記マスク層は複数種類のマスク領域を有し、複数種類の前記マスク領域は単一の透明基板に形成されることを特徴とする請求項１〜５のいずれかに記載の光学表示装置。
【請求項７】
前記マスク層は複数種類のマスク領域を有し、複数種類の前記マスク領域はそれぞれ異なる透明基板に形成されることを特徴とする請求項１〜５のいずれかに記載の光学表示装置。
【請求項８】
前記意匠パターン用光源の複数の第２の波長領域の可視光は２種類であって波長特性において前記背景光源の照射する１つの前記第１の波長領域の可視光を挟んでそれよりも波長の長い領域と短い領域にそれぞれ属する光であることを特徴とする請求項１〜７のいずれかに記載の光学表示装置。
【請求項９】
前記背景光源の照射する前記第１の波長領域の可視光は緑色の波長領域の光であることを特徴とする請求項８に記載の光学表示装置。
【請求項１０】
前記意匠パターン用光源の照射する複数種類の前記第２の波長領域の可視光は赤及び青色の光となる波長領域であること請求項８又は９に記載の光学表示装置。
【請求項１１】
前記マスク層の前面には前記第１及び第２の波長領域の可視光を透過するハーフミラー層を配置したことを特徴とする請求項１〜９のいずれかに記載の光学表示装置。
【発明の詳細な説明】
【技術分野】
【０００１】
本発明は背後から光を照射することで文字、記号あるいは図形等からなる意匠パターンの表示を行う光学表示装置に関するものである。
【背景技術】
【０００２】
従来から例えば携帯電話、パソコンあるいはＰＤＡ（Personal Digital Assistants）のような電子機器、家電製品等の電化製品の表示部又は表示スイッチ又はディスプレイ又は案内プレート等に文字、記号あるいは図形等からなる意匠パターンの表示を行う光学表示装置が使用されている。このような光学表示装置として様々な表示手法が採用されている。例えば、特許文献１のようなバックライトの光で意匠パターンを浮かび上がらせる光学表示装置がある。この特許文献１の光学表示装置では第１及び第２のＬＥＤ１３，１４のいずれかを点灯させることで第１及び第２のマスク層１７，１８のいずれかの意匠パターンを浮かび上がらせるというものである。つまり、第１及び第２のＬＥＤ１３，１４の点灯制御をすることで異なる種類の意匠パターンを表示させることができることとなる。
【先行技術文献】
【特許文献】
【０００３】
【特許文献１】特開２０１２−３１２０号公報
【発明の概要】
【発明が解決しようとする課題】
【０００４】
しかしながら、特許文献１の光学表示装置では第１及び第２のＬＥＤ１３，１４のいずれも点灯させていなければ意匠的には暗い画面が表示されるだけであり、また第１及び第２のいずれかのＬＥＤ１３，１４を点灯させたとしても意匠パターンの背景、つまり浮かび上がる部分以外の領域は暗い状態のままである。つまり、意匠パターン自体は浮かび上がって表示されるものの背景は暗いままなので意匠的なインパクトに欠け、例えば光学表示装置の背景を含んだ全体形状に特徴があったとしても背景は発光しないわけであるから取り立ててめだつわけではない。そのため、意匠パターン以外の背景も発光させて浮かび上がらせるような光学表示装置が望まれていた。
本発明は、このような従来の技術に存在する問題点に着目してなされたものである。その目的は、バックライトで意匠パターンだけが浮かび上がるのではなく、同時にその背景もバックライトで発光させることが可能な光学表示装置を提供することである。
【課題を解決するための手段】
【０００５】
上記課題を解決するための第１の手段として、文字、記号あるいは図形等からなる意匠パターンがネガあるいはポジのいずれかの関係となるように中抜きされたマスク領域が形成されたマスク層と、前記マスク層の背面に配置され１又は複数種類の第１の波長領域の可視光を照射する背景光源と、前記マスク層の背面に配置され前記第１の波長領域の可視光とは異なる１又は複数種類の第２の波長領域の可視光を照射する意匠パターン用光源とを備え  前記マスク層は前記背景光源からの前記第１の波長領域の可視光を前記マスク層の全面からの目視において背景となるように前記マスク領域及び前記マスク領域以外の両方の領域において透過させ、前記背景光源の照射状態で前記意匠パターン用光源から照射される第２の波長領域の可視光を前記マスク領域でカットすることで前記意匠パターンを目視可能としたことをその要旨とする。
また、第２の手段として、前記マスク層はそれぞれ異なる波長領域の前記第２の波長領域の可視光をカットする複数種類のマスク領域を有し、前記意匠パターン用光源は異なる波長領域の前記第２の波長領域の可視光を個別に照射して前記各マスク領域に応じた個別の意匠パターンを表示させるようにしたことをその要旨とする。
【０００６】
また、第３の手段として、前記第１の波長領域の可視光が複数種類ある場合にそれらの照射タイミングが同時となるように前記背景光源を制御して照射させることをその要旨とする。
また、第４の手段として、前記第１の波長領域の可視光が複数種類ある場合にそれらの照射タイミングが同時とならないように前記背景光源を制御して照射させることをその要旨とする。
また、第５の手段として、前記第１の波長領域の可視光が複数種類ある場合にそれらの照射タイミングを変更することで合成される背景光を変更するように前記背景光源を制御することをその要旨とする。
また、第６の手段として、前記マスク層は複数種類のマスク領域を有し、複数種類の前記マスク領域は単一の透明基板に形成されることをその要旨とする。
また、第７の手段として、前記マスク層は複数種類のマスク領域を有し、複数種類の前記マスク領域はそれぞれ異なる透明基板に形成されることをその要旨とする。
また、第８の手段として、前記意匠パターン用光源の複数の第２の波長領域の可視光は２種類であって波長特性において前記背景光源の照射する１つの前記第１の波長領域の可視光を挟んでそれよりも波長の長い領域と短い領域にそれぞれ属する光であることをその要旨とする。
また、第９の手段として、前記背景光源の照射する前記第１の波長領域の可視光は緑色の波長領域の光であることをその要旨とする。
また、第１０の手段として、前記意匠パターン用光源の照射する複数種類の前記第２の波長領域の可視光は赤及び青色の光となる波長領域であることをその要旨とする。
また、第１１の手段として、前記マスク層の前面には前記第１及び第２の波長領域の可視光を透過するハーフミラー層を配置したことをその要旨とする。
【０００７】
このような構成の光学表示装置では、背景光源からの第１の波長領域の可視光の照射をマスク層においてマスク領域とマスク領域以外の領域の両方の領域で透過させることができ、その状態で意匠パターン用光源からの第２の波長領域の可視光を照射にさせた場合には第２の波長領域の可視光はマスク領域でカットされるため意匠パターンが第２の波長領域の可視光として目視できるようになる。このように、意匠パターンだけでなくその背景も同時に発光させることとなるため、光学表示装置全体として目視されやすくなり、その存在感が高くなると同時に意匠パターンも背景の発光とは異なるコントラストで表示できることとなり、背景の発光がない場合に比べてより目立ちやすくなる。
【０００８】
上記において、第１の波長領域（と第２の波長領域）の可視光とは、波長の一部領域を占め所定の強度で照射される可視光であり、その光で例えば赤、緑、青、黄色等々独自の色相が特定できる光である。例えば、ＬＥＤ光のように鐘形曲線を描く明確なピークを有する光であっても、明確なピークを持たない蛍光のような光であってもよい。
また、第１の波長領域の可視光という場合にある１つの波長領域の可視光だけをいうのではなく、複数種類の異なる波長領域の可視光もここでは第１の波長領域の可視光となりうる。同様に第２の波長領域の可視光も１つだけではなく複数種類存在することがある。そのため、第１の波長領域の可視光を照射する背景光源も第２の波長領域の可視光を照射する意匠パターン用光源も必ずしも１種類の光源だけで構成されるだけではなく、例えば波長の異なる複数種類の光源を背景光源とする場合もありうる。そのため、例えば、表示の変わる意匠パターン部分と表示の変わらない背景の意匠パターン部分を仕切り板で分割して照光することなく背景の意匠を白色発光させて図柄をフルカラー色で描くことも可能となり、より自由度の高い意匠表示を行うことができる。
また、マスク層はマスク領域とマスク領域以外の領域を備え、例えば透明基板に第１の波長領域の可視光は透過し第２の波長領域の可視光はカットするマスク領域を塗布、蒸着、浸漬等の手法で形成させるようにすることができる。また、マスク領域は第２の波長領域の可視光のすべてをカットしなくともよい。また、第１の波長領域の可視光のすべてを透過しなくともよい。
【０００９】
また、上記のようにマスク層をそれぞれ異なる波長領域の第２の波長領域の可視光をカットする複数種類のマスク領域を有するようにし、意匠パターン用光源を異なる波長領域の第２の波長領域の可視光を個別に照射してマスク領域に応じた個別の意匠パターンを表示させるようにすることで、複数種類のマスク領域の意匠パターンを個別に表示させることができる。これは、第２の波長領域の可視光が複数種類あり、同様にそれら第２の波長領域の可視光に対応するマスク領域も複数種類ある場合に可能である。但し、個別ではなく同時に複数の意匠パターンを混交させて表示させるようにすること（つまり表示の組み合わせ）も可能である。
ここに「第２の波長領域の可視光を個別に照射」とは、例えば第２の波長領域の可視光を照射する複数種類の光源を光源毎に発光させるような場合である。
【００１０】
第１の波長領域の可視光が複数種類ある場合にそれらの照射タイミングが同時となるように背景光源を制御して照射させることがよい。これによって複数種類の第１の波長領域の可視光を合成した背景光を得ることができるため、波長領域によって様々な背景光を創出することができる。
一方、第１の波長領域の可視光が複数種類ある場合にそれらの照射タイミングが同時とならないように背景光源を制御して照射させるようにしてもよい。これによって複数種類の第１の波長領域の可視光を背景光とすることができ、所望の背景光を選択することができるからである。
また、第１の波長領域の可視光が複数種類ある場合にそれらの照射タイミングを変更することで合成される背景光を変更するように背景光源を制御するようにしてもよい。このような構成とすれば、様々なパターンの背景光を創出することができ、意匠的な効果の極めて高い光学表示装置を提供することができる。
【００１１】
また、マスク層がそれぞれ異なる波長領域の前記第２の波長領域の可視光をカットする複数種類のマスク領域を有している場合においては、それら複数種類のマスク領域は単一の透明基板に形成させるようにしてもよく、別個の透明基板に形成させてそれら透明基板を重複状に配置させるようにしてもよい。
また、意匠パターン用光源の複数の第２の波長領域の可視光が２種類である場合には、それらは波長特性において背景光源の照射する１つの前記第１の波長領域の可視光を挟んでそれよりも波長の長い領域と短い領域にそれぞれ属することがよい。
このように構成すれば合計３種類の波長領域の可視光のみで光学表示装置を構成することができ、装置の低コスト化に貢献する。かつこのような構成であれば意匠パターン用光源は離間した波長となるため、対応するマスク層の２種類のマスク領域の光学特性もあまり接近させないようにすることができるため、マスク領域を構成する材料の選択の裕度が大きくなる。
例えば、背景光源が照射する前記第１の波長領域の可視光は緑色となる波長領域の光、すなわち５２０〜５４０ｎｍ程度の波長の光であることがよい。緑色は可視域のちょうど中央位置付近にあるためこれを背景光とした場合に意匠パターン用光源と対応するマスク領域を構成する材料が選択しやすくなるからである。意匠パターン用光源としては、例えば赤及び青色の光となる波長領域がよい。赤は６２０〜７００ｎｍ程度の波長の光であり、青は４４０〜４９０ｎｍ程度の波長の光である。
【００１２】
マスク層の前面には第１及び第２の波長領域の可視光を透過するハーフミラー層を配置することがよい。これによって太陽光や照明のある室内等で外光によってマスク層の意匠パターンが目視されることが防止できる。このハーフミラー層は反射率として１０〜９０％の範囲であり、透過率も１０〜９０％の範囲であればよい。
【００１３】
マスク層やハーフミラー層を形成させる際に透明基板を使用する場合において、その素材としては特に限定されるものではなく、例えばガラス、ポリカーボネート、ポリメチルメタクレート及びその共重合体、ポリプロピレン、ポリエチレン、塩化ビニル、ＡＢＳ樹脂、フェノール樹脂、メラミン樹脂、シリコーン樹脂、ＮＢＲ樹脂、ＡＳ樹脂等が一例として挙げられる。
本発明は例えば、携帯電話、パソコンあるいはＰＤＡ（Personal Digital Assistants）のような電子機器、家電製品等の電化製品の表示部又はディスプレイ又は案内プレート等の表示画面として応用することが可能である。
【発明の効果】
【００１４】
上記各請求項の発明では、意匠パターンだけでなくその背景も同時に発光させることとなるため、光学表示装置全体として目視されやすくなり、その存在感が高くなると同時に意匠パターンも背景の発光とは異なるコントラストで表示できることとなり、背景の発光がない場合に比べてより目立ちやすくなる。
【図面の簡単な説明】
【００１５】
【図１】本発明の実施の形態１のディスプレイであって、（ａ）は背景光源となるＬＥＤのみを点灯した状態の前面側からの斜視図、（ｂ）は背景光源のＬＥＤと意匠パターン用光源のＬＥＤを点灯させて第１のマスク層の意匠パターンを浮かび上がらせた状態の前面側からの斜視図、（ｃ）は背景光源のＬＥＤと意匠パターン用光源のＬＥＤを点灯させて第２のマスク層の意匠パターンを浮かび上がらせた状態の前面側からの斜視図。
【図２】同じディスプレイについてその内部構造を説明するための模式的な断面図。
【図３】実施の形態１の表示部ユニットにおいてＬＥＤから照射される可視光の透過特性を模式的に説明する説明図。
【図４】本発明の実施の形態２のディスプレイであって、（ａ）は背景光源のＬＥＤと意匠パターン用光源のＬＥＤを点灯させて第１のマスク層の意匠パターンを浮かび上がらせた状態の前面側からの斜視図、（ｂ）は背景光源のＬＥＤと意匠パターン用光源のＬＥＤを点灯させて第２のマスク層の意匠パターンを浮かび上がらせた状態の前面側からの斜視図、（ｃ）は背景光源のＬＥＤと意匠パターン用光源のＬＥＤを点灯させて第２のマスク層の意匠パターンを浮かび上がらせた状態の前面側からの斜視図。
【図５】同じディスプレイについてその内部構造を説明するための模式的な断面図。
【図６】実施の形態２の表示部ユニットにおいてＬＥＤから照射される可視光の透過特性を模式的に説明する説明図。
【発明を実施するための形態】
【００１６】
以下、本発明の光学表示装置の実施の形態について図面に従って説明をする。
（実施の形態１）
図１（ａ）〜（ｃ）及び図２に示すように、光学表示装置としてのディスプレイ１０は周囲と背後を包囲するフレーム１１とフレーム１１の前面に配置される透明アクリル製の保護プレート１２から筐体１３が構成されている。光学表示装置としての表示部ユニット１５は筐体１３内に収容されている。
図２及び図３に基づいて表示部ユニット１５について詳しく説明する。光学表示装置ユニット１５は光学膜層としてハーフミラー層１６、第１のマスク層１７及び第２のマスク層１８を備えている。前面側からハーフミラー層１６、第１のマスク層１７及び第２のマスク層１８の順に配置され、第２のマスク層１８の背後には表面実装型ＬＥＤ基板１９が配置されている。図３に示すように表面実装型ＬＥＤ基板１９の表面にはＬＥＤ２０〜２２が配設されている。本実施の形態１ではハーフミラー層１６は蒸着処理によって、第１及び第２のマスク層１７、１８は塗布によってそれぞれポリカーボネート製の長方形の平面形状の肉薄の透明プレートに成膜されている。各透明プレートは互いに密着状態で重複状に配置されている。本実施の形態ではこれら３枚の透明プレートによって表示部２３が構成される。尚、図３ではＬＥＤ２０〜２２は３種類各１つずつが図示されているが、これは図３においてハーフミラー層１６、第１のマスク層１７及び第２のマスク層１８の光学特性を説明するために簡略化して示しているためであり、実際にはＬＥＤ２０〜２２は表示部２３の表面全域を均一に照射するために表面実装型ＬＥＤ基板１９の表面に均等な間隔を保って同数の多数のＬＥＤ２０〜２２から構成されている。また、図３では透明プレートの存在は無視して蒸着膜及び塗布膜だけの存在で光学特性を説明している。
筐体１３内にはコントローラ２５が配設されている。コントローラ２５は表面実装型ＬＥＤ基板１９と接続されている。コントローラ２５はＣＰＵやメモリやタイマー等から構成されプログラムに従ってＬＥＤ２０〜２２の点灯制御を行う。
【００１７】
ハーフミラー層１６は表示部２３全域に及ぶ鏡面層として形成されており、表１のような反射及び透過特性を示している。このような反射特性であると日中においては可視光をすべて反射して鏡面となる。また、このような透過特性であると外光のほとんどない夜間にはＬＥＤ２０〜２２からの照射光はすべての波長域で透過して目視可能となる。
第１のマスク層１７として図１（ｂ）に示す「空」の文字の意匠を 中抜きした意匠パターンＰ１が表２の１の透過特性を示す塗料（白色光を照射した場合には緑色で目視される塗料）によって表示されている。第２のマスク層１８として図１（ｃ）に示す「満」の文字の意匠を中抜きした意匠パターンＰ２が表２の２の透過特性を示す塗料（白色光を照射した場合には黄色で目視される塗料）によって表示されている。
第１のマスク層１７の透過特性（表２の１の特性）としては青から緑にかけての波長領域（４５０〜５５０ｎｍ付近）において概ね６０〜８５％程度の透過率であり、第１のマスク層１７は青から緑にかけての波長領域の光を透過させることになる。一方、第１のマスク層１７は赤の波長領域（６５０〜７００ｎｍ付近）において２０〜３０％程度の透過率であるため、赤色の光は第１のマスク層１７を透過しにくくなっている。
一方、第２のマスク層１８の透過特性（表２の２の特性）としては緑から赤にかけての波長領域（５００〜６５０ｎｍ付近）において概ね５０〜８５％程度の透過率であり、第２のマスク層１８は緑から赤にかけての波長領域の光を透過させることになる。一方、第２のマスク層１８は青の波長領域（４４０〜４９０ｎｍ付近）において０〜２０％程度の透過率であるため、青色の光は第２のマスク層１８を透過しにくくなっている。
ＬＥＤ２０〜２２の光学特性は表３の通りである。背景光源となるＬＥＤ２０は左右対称の鐘形曲線形状で５２０ｎｍ付近にピークのある概ね４５０〜６００ｎｍ程度の波長領域内の可視光である。このような光学特性ではＬＥＤ２０は肉眼で緑色の発光を呈することとなる。意匠パターン用光源となるＬＥＤ２１は左右対称の鐘形曲線形状の４７０ｎｍ付近にピークのある概ね４２０〜５２０ｎｍ程度の波長領域内の可視光である。このような光学特性ではＬＥＤ２１は肉眼で青色の発光を呈することとなる。意匠パターン用光源となるＬＥＤ２２は左右対称の鐘形曲線形状の６４０ｎｍ付近にピークのある概ね５３０〜６７０ｎｍ程度の波長領域内の可視光である。このような光学特性ではＬＥＤ２２は肉眼で赤色の発光を呈することとなる。
【００１８】
次にこのような構成の表示部ユニット１５を有するディスプレイ１０について、コントローラ２５によってＬＥＤ２０〜２２の点灯制御をした場合の作用について図３に基づいて説明する。
ディスプレイ１０は表示状態においては、常時コントローラ２５によってＬＥＤ２０が点灯させられることとなる。ＬＥＤ２０のみが点灯させられている状態では図３に示すように緑色の光は第２のマスク層１８、第１のマスク層１７、ハーフミラー層１６を順に透過することとなり表示部２３全域において前面側から緑色の光が目視されることとなる（図１（ａ）の状態）。このように背景光が常時目視できる状態において、コントローラ２５は所定の時間（例えば２秒）経過後にＬＥＤ２１を点灯させる。ＬＥＤ２１の青色の光は第２のマスク層１８に遮蔽されて中抜けの部分のみを青色の光が透過する。この中抜けの部分が意匠パターンＰ２となる。意匠パターンＰ２を構成する青色の光は第１のマスク層１７では透過特性が高いため第１のマスク層１７のあるなしに関わらずそのまま透過し、更にハーフミラー層１６を透過して前面側から目視されることとなる（図１（ｃ）の状態）。この時、青色の光と背景の緑色の光が交錯した部分は水色となって背景の緑色の光内に浮かび上がることとなる。
一方、コントローラ２５は所定の時間（例えば５秒）青色の光を点灯させた後消灯させ、所定の時間（例えば２秒）経過後にＬＥＤ２２を点灯させる。ＬＥＤ２２の赤色の光はまず第２のマスク層１８を透過するが、赤色の光は第２のマスク層１８では透過特性が高いため第２のマスク層１８のあるなしに関わらずそのまま透過する。次いで、ＬＥＤ２２の赤色の光は第１のマスク層１７に遮蔽されて中抜けの部分のみを赤色の光が透過する。この中抜けの部分が意匠パターンＰ１となる。意匠パターンＰ１を構成した赤色の光は更にハーフミラー層１６を透過して前面側から目視されることとなる（図１（ｂ）の状態）。この時、赤色の光と背景の緑色の光が交錯した部分は黄色となって背景の緑色の光内に浮かび上がることとなる。コントローラ２５は所定の時間（例えば５秒）赤色の光を点灯させた後消灯させ、再びＬＥＤ２１を点灯させる。
コントローラ２５は２秒の緑色の背景光のみの状態を挟んでＬＥＤ２１とＬＥＤ２２の点灯操作を繰り返すことで２種類の表示を交互に行う制御を行う。また、コントローラ２５は所定の時間（例えば１２時間）このような制御を行った後に、所定の時間（例えば１２時間）すべてのＬＥＤ２０〜２２を消灯させる。その際には前方からはハーフミラー層１６によって第１及び第２のマスク層１７、１８やＬＥＤ２０〜２２は目視されない。そして、１２時間経過後に再び点灯制御を開始する。
【００１９】
【表１】
2016170190.tif 000003
【００２０】
【表２】
2016170190.tif 000004
【００２１】
【表３】
2016170190.tif 000005
【００２２】
このような構成とすることで、実施の形態１のディスプレイ１０では次のような効果が奏される。
（１）２つの意匠パターンＰ１、Ｐ２を交互に異なる光で目視させる際に常に緑色の背景光を点灯させておくことができ、ディスプレイ１０の表示部２３自体も意匠の一部とすることができるため、背景の発光がない場合に比べてディスプレイとしてより印象的となる。
（２）単に２つの意匠パターンＰ１、Ｐ２を交互に目視させるだけでなく、背景だけを点灯させておく時間帯もあり、背景も１つの意匠として目視できるため、ディスプレイ１０としての演出効果が向上する。
（３）日中にＬＥＤ２０〜２２を消灯させている際には表示部２３表面はハーフミラー層１６によって第１及び第２のマスク層１７、１８やＬＥＤ２０〜２２は目視されずに外光によってミラーとなるため、消灯時でも意匠性に優れる。
（４）色弱者は主に黒背景に赤色（610nm以上の光）の点灯表示もしくは赤色点灯背景に黒文字は認識しづらいが、本実施例では背景が点灯することにより色弱者でも視認できる十分なコントラストを得ることができる。
【００２３】
（実施の形態２）
実施の形態２では上記実施の形態１と同様の構成のディスプレイ１０において、使用するＬＥＤとマスク層の種類のみが異なる場合である。そのため、以下では実施の形態１と異なる部分を中心に説明する。
実施の形態１では２種類のマスク層１７、１８を使用したが、実施の形態２では３種類のマスク層３１〜３３を使用する。
図５及び図６に示すように、実施の形態２では第１のマスク層３１として図４（ａ）に示す数字の「１」の意匠と周囲を中抜きした意匠パターンＰ３が表４の透過特性を示す塗料（白色光を照射した場合には薄い橙色で目視される塗料）によって表示されている。また、第２のマスク層３２として図４（ｂ）に示す数字の「２」の意匠と周囲を中抜きした意匠パターンＰ４が表５の透過特性を示す塗料（白色光を照射した場合には薄い青緑色で目視される塗料）によって表示されている。また、第３のマスク層３３として図４（ｃ）に示す数字の「３」の意匠と周囲を中抜きした意匠パターンＰ５が表６の透過特性を示す塗料（白色光を照射した場合には薄い水色で目視される塗料）によって表示されている。実施の形態１と同様に各マスク層３１〜３３は塗布によってそれぞれポリカーボネート製の長方形の平面形状の肉薄の透明プレートに成膜されている。各透明プレートは互いに密着状態で重複状に配置されている。本実施の形態ではこれら３枚の透明プレートと上記のハーフミラー層１６用の透明プレートによって表示部３４が構成される。
第１のマスク層３１の透過特性としては青緑の波長領域（４７５〜５２５ｎｍ付近）においてほぼ透過率０％で、それ以外の可視光領域では９８％程度の透過率であるため、第１のマスク層３１は青緑色の光を特異的に透過させず、それ以外の可視光をすべて透過させることになる。第２のマスク層３２の透過特性としては橙色の波長領域（５７５〜６２５ｎｍ付近）においてほぼ透過率０％で、それ以外の可視光領域では９８％程度の透過率であるため、第２のマスク層３２は橙色の光を特異的に透過させず、それ以外の可視光をすべて透過させることになる。第３のマスク層３３の透過特性としては深い赤色の波長領域（６７５〜７５０ｎｍ付近）においてほぼ透過率０％で、それ以外の可視光領域では９８％程度の透過率であるため、第３のマスク層３３は深い赤色の光を特異的に透過させず、それ以外の可視光をすべて透過させることになる。尚、図６では透明プレートの存在は無視して蒸着膜及び塗布膜だけの存在で光学特性を説明している。
【００２４】
実施の形態１では３種類のＬＥＤ２０〜２２を使用したが、実施の形態２では６種類のＬＥＤ３５〜４０を使用する。実施の形態２ではＬＥＤ３５、３７、３９が背景光源であり、ＬＥＤ３６、ＬＥＤ３８、ＬＥＤ４０が意匠パターン用光源である。
ＬＥＤ３５〜４０の光学特性は表７の通りである。ＬＥＤ３５は左右対称の鐘形曲線形状で４５０ｎｍ付近にピークのある概ね４００〜５００ｎｍ程度の波長領域内の可視光である。このような光学特性ではＬＥＤ３５は肉眼で青色の発光を呈することとなる。ＬＥＤ３６は左右対称の鐘形曲線形状で５００ｎｍ付近にピークのある概ね４５０〜５５０ｎｍ程度の波長領域内の可視光である。このような光学特性ではＬＥＤ３６は肉眼で青緑色の発光を呈することとなる。ＬＥＤ３７は左右対称の鐘形曲線形状で５５０ｎｍ付近にピークのある概ね５００〜６００ｎｍ程度の波長領域内の可視光である。このような光学特性ではＬＥＤ３７は肉眼で緑色の発光を呈することとなる。ＬＥＤ３８は左右対称の鐘形曲線形状で６００ｎｍ付近にピークのある概ね５５０〜６５０ｎｍ程度の波長領域内の可視光である。このような光学特性ではＬＥＤ３８は肉眼で黄色の発光を呈することとなる。ＬＥＤ３９は左右対称の鐘形曲線形状で６５０ｎｍ付近にピークのある概ね６００〜７００ｎｍ程度の波長領域内の可視光である。このような光学特性ではＬＥＤ３９は肉眼で赤色の発光を呈することとなる。ＬＥＤ４０は左右対称の鐘形曲線形状で７００ｎｍ付近にピークのある概ね６５０〜７５０ｎｍ程度の波長領域内の可視光である。このような光学特性ではＬＥＤ４０は肉眼で深い赤色の発光を呈することとなる。
【００２５】
次にこのような構成の表示部ユニット１５を有するディスプレイ１０について、コントローラ２５によってＬＥＤ３５〜４０の点灯制御をした場合の作用について図６に基づいて説明する。
ディスプレイ１０は表示状態においては、コントローラ２５によって３種類のＬＥＤ３５、３７、３９の少なくとも１つが点灯させられるような制御を行う。いくつもの制御パターンが考えられるがここでは、コントローラ２５は所定の時間（例えば１分）毎にＬＥＤ３５のみ点灯→ＬＥＤ３７のみ点灯→ＬＥＤ３９のみ点灯→ＬＥＤ３５、３７、３９を全灯→初めに戻る、を繰り返すように点灯制御するものとする。全灯の際には表示部３４全域において前面側からこれらが混ざった白色光として目視されることとなる。
一方、コントローラ２５はこのような背景光源となる３種類のＬＥＤ３５、３７、３９の点灯制御と同時にまず意匠パターン用光源としてのＬＥＤ３６を点灯させる。ＬＥＤ３６の青緑色の光は第３のマスク層３３と第２のマスク層３２はそのまま透過する。そして、ＬＥＤ３６の青緑色の光は第１のマスク層３１に遮蔽されて中抜けの部分のみを青緑色の光が透過する。この青緑色の光はハーフミラー層１６を透過して前面側から白色光を背景とする意匠パターンＰ３として目視されることとなる（図４（ａ）の状態）。
コントローラ２５は所定の時間（例えば５秒）ＬＥＤ３６の青緑色光を点灯させた後にこれを消灯させ、同時に意匠パターン用光源としてのＬＥＤ３８を点灯させる。ＬＥＤ３８の黄色の光は第１のマスク層３１と第３のマスク層３３ではそのまま透過し、第２のマスク層３２のみで遮蔽されて中抜けの部分のみを黄色の光が透過する。この黄色の光はハーフミラー層１６を透過して前面側から白色光を背景とする意匠パターンＰ４として目視されることとなる（図４（ｂ）の状態）。
コントローラ２５は所定の時間（例えば５秒）ＬＥＤ３８の黄色光を点灯させた後にこれを消灯させ、同時に意匠パターン用光源としてのＬＥＤ４０を点灯させる。ＬＥＤ４０の深い赤色の光は第１のマスク層３１と第２のマスク層３２ではそのまま透過し、第３のマスク層３３のみで遮蔽されて中抜けの部分のみを深い赤色の光が透過する。この深い赤色の光はハーフミラー層１６を透過して前面側から白色光を背景とする意匠パターンＰ５として目視されることとなる（図４（ｃ）の状態）。
コントローラ２５は３種類のＬＥＤ３５、３７、３９の点灯制御（つまり常時少なくともＬＥＤ３５、３７、３９の１つが点灯されている状態）を行う際に同時に５秒毎にＬＥＤ３６、ＬＥＤ３８、ＬＥＤ４０を順に１つずつ点灯させて３種類の表示を順に行う制御を行う。また、コントローラ２５は所定の時間（例えば１２時間）このような制御を行った後に、所定の時間（例えば１２時間）すべてのＬＥＤ３５〜４０を消灯させる。その際には前方からはハーフミラー層１６によって第１〜第３のマスク層３３〜３５やＬＥＤ３５〜４０は目視されない。そして、１２時間経過後に再び点灯制御を開始する。
【００２６】
【表４】
2016170190.tif 000006
【００２７】
【表５】
2016170190.tif 000007
【００２８】
【表６】
2016170190.tif 000008
【００２９】
【表７】
2016170190.tif 000009
【００３０】
このような構成とすることで、実施の形態２のディスプレイ１０では次のような効果が奏される。
（１）３つの意匠パターンＰ３〜Ｐ５を順に異なる光で目視させる際に常にある色の背景光を点灯させておくことができ、ディスプレイ１０の表示部３４自体も意匠の一部とすることができるため、背景の発光がない場合に比べてディスプレイとしてより印象的となる。
（２）背景に３種類のＬＥＤ３５、３７、３９を単独あるいは組み合わせて使用することで、これらを用いて背景光自体に変化を持たせることができるため、ディスプレイ１０としての演出効果が非常に向上する。
（３）日中にＬＥＤ３５〜４０を消灯させている際には表示部３４表面はハーフミラー層１６によって第１〜第３のマスク層３３〜３５やＬＥＤ３５〜４０は目視されずに外光によってミラー面となるため、消灯時でも意匠性に優れる。
【００３１】
尚、この発明は、次のように変更して具体化することも可能である。
・上記実施の形態１の第１のマスク層１７と第２のマスク層１８及び上記実施の形態２の第１〜第３のマスク層３１〜３３の層順は入れ替えてもよい。
・上記マスク層１７、１８、３３〜３５の特性は一例であって他の特性によってマスク層を構成するようにしてもよい。
・背景光源を点滅するように制御させてもよい。
・上記実施の形態では意匠パターンＰ１〜Ｐ５をポジで表現したがネガで表現するようにしてもよい。意匠パターンＰ１〜Ｐ５は一例である。
・上記実施の形態１では２つの意匠パターンＰ１、Ｐ２は表示させない時間帯を設けるようにしたが、例えばこれを表示させない時間帯を設けず連続的に交互に表示させるようにしてもよい。
・実施の形態２では背景光源としては３種類のＬＥＤ３５、３７、３９としたが、これに限られるものではなく背景光源として１〜５種類までで自由に組み合わせることが可能である。その場合において背景光源として使用しなかったＬＥＤを意匠パターン用光源として使用することができる。
・ディスプレイ１０以外に適用するようにしてもよい。
その他本発明の趣旨を逸脱しない態様で実施することは自由である。
【符号の説明】
【００３２】
１５…光学表示装置としての表示部ユニット、１７、１８、３１〜３３…マスク層、２０、３５、３７、３９…背景光源としてのＬＥＤ、２１、２２、３６、３８、４０…意匠パターン用光源としてのＬＥＤ、Ｐ１〜Ｐ５…意匠パターン。
【図１】
2016170190.tif 000010
【図２】
2016170190.tif 000011
【図３】
2016170190.tif 000012
【図４】
2016170190.tif 000013
【図５】
2016170190.tif 000014
【図６】
2016170190.tif 000015